(57)【要約】      （修正有）【課題】木造の落とし込み工法（板倉づくり）を従来の物より耐震強度及び気密性を向上させ、施工時間を短縮するようにした耐力壁を提供する。【解決手段】柱１３と壁材１２をアリ加工し、また接合部を栓（クサビ）１１で固定する事により強固な壁となり工期を短縮させることを特徴とする。落とし込み材１２と土台の同じ場所に１５ｍｍほどの穴を開け、１２ｍｍほどの全ネジボルトを落とし込み材上部と土台下部を貫通させて上下をネジで締めることにより、落とし込み材が乾燥して隙間が発生した時に増し締めして隙間をふさぐ事ができる。【選択図】図２
0003158200.tif 000002
【実用新案登録請求の範囲】
【請求項１】
木造の落とし込み工法による耐力壁であり、柱と落とし込み材の接合部の加工により従来の落とし込みの壁より、壁の強度を上げた物である。
【請求項２】
解体時に容易に解体する事ができ、乾燥により隙間が生じた時に容易に隙間を埋めることのできる耐力壁。
【考案の詳細な説明】
【技術分野】
【０００１】本考案は木造建築家屋の耐力壁を、従来の物より耐震性を上げた物に関する。
【背景技術】
【０００２】従来の寺社建築等で採用されている落とし込み工法（板倉工法）は、柱に溝をつき壁用に加工した木材（厚さ３０ｍｍ、高さ１００ｍｍほど）を柱に加工した溝に落とし込む工法だが耐震性はあまり高くない。（壁倍率０．６ほど）【０００３】また落とし込みの角材も乾燥等によって収縮し、気密性が減少する。【０００４】なお、本願考案に関する公知技術として次の非特許文献１を上げることができる【０００５】
【非特許文献】ｈｔｔｐ：／／ｗｗｗ．ｉｔａｋｕｒａｌ．ｊｐ／ｉｔａｋｕｒａ．ｈｔｍｌ
【考案の開示】
【考案が解決しようとする課題】
【０００６】上記の如く従来の落とし込み工法では耐震性があまり高くなく、気密性も劣る。【０００７】本願考案はこれらのデメリットを解決し、また工期を短縮するために開発されたものである。
【課題を解決するための手段】
【０００８】柱に落とし込む部材の仕口をアリ加工して（柱の側面も加工する）立て込み時に柱上部から落とし込む。【０００９】この時仕口の摩擦により、落とし込み材を柱上部から土台までの下方部まで２ｍ以上落とすのが非常に困難なため、柱面のアリ加工を大きく加工しておいて所定の位置まで落とし込み材を落としたら栓（クサビ）で固定するようにする。
【考案の効果】
【００１０】以上説明したように、本願考案は従来の落とし込み工法より耐震強度を高めた製品である。落とし込み材と土台の同じ場所に１５ｍｍほどの穴を開け、１２ｍｍほどの全ネジボルトを落とし込み材上部と土台下部を貫通させて上下をネジで締めることにより、落とし込み材が乾燥して隙間が発生した時に増し締めして隙間をふさぐ事ができる。【００１１】落とし込み材と柱側面にアリ加工したことにより横方向の引き抜きにたいして強度があがり、落とし込み材の肩の部分で地震発生時の横揺れに対し抵抗することで強固な壁にすることができる。【００１２】また落とし込み材に雇いサネ加工する事により、より気密性を上げることができる。【００１３】落とし込み材どうしをダボで連結することにより、さらに強固な壁にする事ができる。
【考案を実施するための最良の形態】
【００１４】以下、本考案の実施の形態を図面に基づき詳細に説明する。【００１５】図▲１▼、▲５▼は本願考案を柱に落とし込んだ状態を上から見た図であり、図▲２▼、▲６▼は本考案を斜め前から見た図であり図▲３▼、▲７▼は落とし込み材を上から見た詳細図、図▲４▼、▲８▼は１２０ｍｍ角の柱に本考案を施工した時に上から見た詳細図である。【００１６】図▲１▼、▲５▼の１５は落とし込み材が乾燥した時にできる隙間を締め込むための全ネジの通る穴で２４は全ネジボルト、２５はナットと座金である。【００１７】図▲１▼、▲２▼の１１はアリ加工した部材を所定の位置で固定するためのクサビで、接合部の男木と女木の角度を変えてアリのカブトと首側の部分のサイズが違う事により（首側の部分を大きくする）クサビを打ち込んだ時、柱の側面と落とし込み材の肩の部分が密着する事により強固な接合部が生まれる。【００１８】図▲１▼、▲４▼の１３はアリのメス加工した柱を上からみた図である。【００１９】図▲１▼の１２は両木口をアリ加工した落とし込み材で１４はアリ加工した部分である【００２０】図▲１▼、▲２▼、▲３▼の２１はヤトイサネ加工した部分で図▲４▼の２２，２３はアリ加工した部分のカブトの角度で２３の方が２２よりも鋭角に加工してある。【００２１】図▲５▼は［請求項２］の解体時に容易に解体する事ができ、乾燥により隙間が生じた時に容易に隙間を埋める事のできる耐力壁を上から見た図であり１６は落とし込み材を全部落とし込んでから壁を固定するための部材（見切り材）で釘やビス等で柱に固定する。後に壁材（落とし込み材）が乾燥して仕口に隙間が出来たら大きなサイズに作り直した見切り材と交換することて仕口の強度を維持することができる。【００２２】図▲７▼は［請求項２］の耐力壁の落とし込み材の上から見た詳細図で、図▲８▼は１２０ｃｍの柱に［請求項２］の耐力壁を施工した時に上から見た詳細図で２０は見切り材を柱に止める釘（ビス）である。【００２３】図▲６▼では省略してあるが［請求項２］の壁にもヤトイザネと全ネジボルトの施工をすることで材が乾燥したときに対応することができる。【００２４】［請求項１］［請求項２］の両方の耐力壁も乾燥時、全ネジボルトを締めることにより壁上部と桁に隙間が生じるので桁に落とし込み材の巾の大入れ加工しておくかログハウス施工時に使うカバーボードの加工をする必要がある。【００２５】以上、本願考案の実施の形態及び実施例の説明をしたが本発明の範囲はこれに限定されるものではない。
【図面の簡単な説明】
【００２６】
【図１】請求項１を上から見た図
【図２】請求項１をななめ上から見た図
【図３】請求項１の仕口の図
【図４】請求項１の仕口と柱のおさまり図
【図５】請求項２を上から見た図
【図６】請求項２をななめ上から見た図
【図７】請求項２の仕口の図
【図８】請求項２の仕口と柱のおさまり図
【符号の説明】
【００２７】１１  クサビ（栓）              １８  請求項２の仕口
１２  壁材（落とし込み材）      １９  請求項２の柱
１３  柱                        ２０  クギ（ビス）
１４  仕口（アリ加工した仕口）  ２１  雇いサネ
１５  ボルト通し穴              ２２  柱のアリ加工した角度
１６  見切り材                  ２３  アリの加工した角度
２４  ボルト
２５  ナット、座金
【図１】
0003158200.tif 000003
【図２】
0003158200.tif 000004
【図３】
0003158200.tif 000005
【図４】
0003158200.tif 000006
【図５】
0003158200.tif 000007
【図６】
0003158200.tif 000008
【図７】
0003158200.tif 000009
【図８】
0003158200.tif 000010
【手続補正書】
【提出日】平成21年9月29日(2009.9.29)
【手続補正１】
【補正対象書類名】実用新案登録請求の範囲
【補正対象項目名】全文
【補正方法】変更
【補正の内容】
【実用新案登録請求の範囲】
【請求項１】
既出の実用新案登録願書（実願２００９−００５２７８）の「請求項１」の文章は、木造の落とし込み工法による耐力壁であり、柱と落とし込み材の加工により従来の落とし込みの壁より壁の強度を上げた物であると記載されているが、木造の落とし込み工法による耐力壁であり柱と落とし込み材の接合部をアリ加工して接合部にクサビを打ち込むことで従来落とし込みの壁より壁の強度を上げた木造建築家屋の耐力壁へ変更。
【請求項２】
既出の実用新案登録願書（実願２００９−００５２７８）の「請求項２」の文章は解体時に容易に解体する事ができ、乾燥により隙間が生じた時に容易に隙間を埋めることの出来る耐力壁と記載されているが、落とし込み材と柱の結合部の片側だけアリ加工（片蟻）してアリ加工していない側の隙間に見切り材兼壁と柱の隙間を埋める部材を釘等で固定することにより、解体時には容易に解体でき、乾燥して隙間が生じた時は大きなサイズの見切り材に変更することにより壁の強度を維持することのできる木造建築家屋の耐力壁へ変更。
【手続補正書】
【提出日】平成22年1月5日(2010.1.5)
【手続補正１】
【補正対象書類名】実用新案登録請求の範囲
【補正対象項目名】全文
【補正方法】変更
【補正の内容】
【実用新案登録請求の範囲】
【請求項１】
木造の落とし込み工法による耐力壁であって、柱と落とし込み材の接合部をアリ加工して接合部にクサビを打ち込むことで壁の強度を上げた木造建築家屋の耐力壁。
【請求項２】
落とし込み材と柱の結合部の片側だけアリ加工し、アリ加工していない側の隙間に見切り材兼壁と柱の隙間を埋める部材を釘等で固定することにより、解体時には容易に解体でき、乾燥して隙間が生じた時は大きなサイズの見切り材に変更することにより壁の強度を維持することのできる木造建築家屋の耐力壁。